(57)【要約】【課題】二種類の調味料を選択して研磨可能であること。【解決手段】両端に第一収容空間と第二収容空間を設けた本体と、本体の第一端と第二端の間に設けられたモータと、電源供給装置と、モータの正逆転を制御する制御スイッチと、第一研磨装置と、第二研磨装置と、第一伝動軸と、第二伝動軸と、を含み、第一研磨装置と第二研磨装置とは、それぞれ第一収容空間と第二収容空間とに隣接し、前記第一伝動軸は、第一出力軸および第一研磨装置における内研磨台と結合し、前記第二伝動軸は、第二出力軸および第二研磨装置における内研磨台と結合する。【選択図】図１
0003138902.tif 000002
【実用新案登録請求の範囲】
【請求項１】
本体と、モータと、電源供給装置と、制御スイッチと、第一研磨装置と、第二研磨装置と、第一伝動軸と、第二伝動軸と、を含む電動式調味料研磨器において、
前記本体は、両端がそれぞれ第一端および第二端として形成され、前記第一端の近傍に第一収容空間が設けてあり、前記第二端の近傍に第二収容空間が設けてあり、
前記モータは、前記本体の第一端と第二端の間に設けられ、前記本体の第一端に伸びる第一出力軸を有し、前記本体の第二端に伸びる第二出力軸を有し、前記第一出力軸と前記第二出力軸とは前記本体に対して第一の方向へ一緒に伝動可能であり、前記第一出力軸と前記第二出力軸とは前記本体に対して第二の方向へ一緒に伝動可能であり、
前記電源供給装置は、モータの電力を供給するものであり、
前記制御スイッチは、第一収容空間を第二収容空間よりも低くすると、モータが自動的に起動されて前記第一出力軸と前記第二出力軸とを第一の方向に回転し、第二収容空間を第一収容空間よりも低くすると、モータが自動的に起動されて前記第一出力軸と前記第二出力軸とを第二の方向に回転し、
第一研磨装置と第二研磨装置とは、それぞれ第一収容空間と第二収容空間とに隣接し、これらの研磨装置は、固定された外研磨台と、回転可能の内研磨台と、を含み、
前記第一伝動軸は、第一出力軸および第一研磨装置における内研磨台と結合し、
前記第二伝動軸は、第二出力軸および第二研磨装置における内研磨台と結合することを特徴とする、
電動式調味料研磨器。
【請求項２】
前記制御スイッチは、傾斜接触装置であってもよく、ハイセクションとローセクションとを有する通路を含み、前記通路は、中央にあるローセクションと、両側の第一ハイセクション及び第二ハイセクションとから構成され、且つ前記通路内には移動可能の転がり体が少なくとも一つ設けてあり、前記第一ハイセクションには常時に接触しない第一接触点および第二接触点が設けてあり、前記第二ハイセクションには常時に接触しない第三接触点および第四接触点が設けてあり、
前記本体が傾斜されて第一収容空間が第二収容空間よりも低い場合には、前記転がり体が移動されて第一接触点と第二接触点とを接触状態にし、前記本体が傾斜されて第二収容空間が第一収容空間よりも低い場合には、前記転がり体が移動されて第三接触点と第四接触点とを接触状態にし、第一接触点と第二接触点とが接触状態になるときに、第一回路が閉回路になって、モータが第一出力軸と第二出力軸とを第一の方向に回転させ、第三接触点と第四接触点とが接触状態になるときに、第二回路が閉回路になって、モータが第一出力軸と第二出力軸とを第二の方向に回転させることを特徴とする、請求項１に記載の電動式調味料研磨器。
【請求項３】
前記第一出力軸及び第一伝動軸と結合する第一ラチェットが設けてあり、前記第一出力軸が第一の方向に回転されているときに、前記第一ラチェットが第一伝動軸を回転し、前記第一出力軸が第二の方向に回転されているときに、前記第一ラチェットが第一伝動軸を回転しなく、そして前記第二出力軸及び第二伝動軸と結合する第二ラチェットが設けてあり、前記第二出力軸が第二の方向に回転されているときに、前記第二ラチェットが第二伝動軸を回転し、前記第二出力軸が第一の方向に回転されているときに、前記第二ラチェットが第二伝動軸を回転しないことを特徴とする、請求項1に記載の電動式調味料研磨器。
【請求項４】
前記第一ラチェット、前記第一出力軸と前記第一伝動軸のうちの少なくとも一つと結合し前記第一伝動軸の前記第一出力軸に対する回転速度を降下する第一減速ギアユニットが設けてあり、そして前記第二ラチェット、前記第二出力軸と前記第二伝動軸のうちの少なくとも一つと結合し前記第二伝動軸の前記第二出力軸に対する回転速度を降下する第二減速ギアユニットが設けてあることを特徴とする、請求項３に記載の電動式調味料研磨器。
【請求項５】
前記第一収容空間は、開口と、前記開口の近傍に位置する第一研磨装置と、を含み、前記第二収容空間は、開口と、前記開口の近傍に位置する第二研磨装置と、を含むことを特徴とする、請求項１に記載の電動式調味料研磨器。
【請求項６】
前記研磨装置の回転可能の内研磨台は、外側に伸び研磨歯を有するな内部部品を含み、前記研磨装置の固定された外研磨台は、内側に伸び研磨歯を有する外部部品を含み、前記外部部品が前記内部部品を囲んでおり、且つ前記外部部品に設けられた研磨歯の形状は前記内部部品に設けられた研磨歯と互いに補うことを特徴とする、請求項５に記載の電動式調味料研磨器。
【請求項７】
前記制御スイッチ内に締付リングが設けてあり、前記締付リングに突起が設けてあり、前記突起を前記制御スイッチと前記電源ユニットとに押付けると回路が閉回路になり、このとき、第一研磨装置または第二研磨装置は研磨可能になり、前記制御スイッチと前記電源ユニットとから前記突起を離脱すると回路が開回路になり、このとき、第一研磨装置と第二研磨装置とは研磨不能になることを特徴とする、請求項１に記載の電動式調味料研磨器。
【請求項８】
移動可能の前記転がり体は玉であることを特徴とする、請求項１に記載の電動式調味料研磨器。
【考案の詳細な説明】
【技術分野】
【０００１】
本考案は、電動式調味料研磨器に係り、特に、調味料を充填可能の研磨器が二つ設けてあり、第一収容空間と第二収容空間の相対高さを変化することによって傾斜接触装置の接触状態を変更すると、第一研磨装置または第二研磨装置を起動して調味料を研磨可能である電動式調味料研磨器に関するものである。
【背景技術】
【０００２】
食べ物を料理し、又は食べるときに、調味料を添加すると食べ物の美味しさを更に向上可能である。
また各種類の調味料の風味を保持するために、調味料がより大きい寸法で貯蔵される。調味料を食べ物に添加するときに、研磨器によって調味料を細かく砕いている。
【０００３】
一般の手動式研磨器の構造は、中空の本体と、前記本体の上端と連接する回転操作部分と、前記本体内に設けられ前記回転操作部分と一緒に回転可能である伝動軸と、前記伝動軸の下に結合される内部歯部品と、前記内部歯部品を囲む外部歯部品と、を含む。調味料が前記本体に充填される。このように、前記回転操作部分を手で回転すると、前記内部歯部品が前記外部歯部品に対して回転して調味料を細かく研磨することが可能である。
【０００４】
しかしながら、このような手動式研磨器は、操作が面倒であり、かなりの大きな操作力を必要とする。
さらに従来の研磨器は、収容空間が一つだけあるので、収容空間に収容された調味料だけを研磨可能である。
一方、従来の電動式研磨器の構造は、モータと、研磨装置と、前記モータ及び研磨空間と連接する伝動軸と、モータをオン・オフするスイッチとを含む。
しかし、従来の手動式研磨器と同じように、従来の電動式研磨器は、収容空間が一つだけであるので、収容空間に収容した調味料だけして研磨するとことができない。
【考案の開示】
【考案が解決しようとする課題】
【０００５】
本考案の主な目的は、調味料を充填可能の研磨器が二つ設けてあり、第一収容空間と第二収容空間の相対高さを変化することによって傾斜接触装置の接触状態を変更すると、第一研磨装置または第二研磨装置を起動して調味料を研磨可能である電動式調味料研磨器を提供することにある。
【課題を解決するための手段】
【０００６】
上記目的を達成するためになされた本願の第１考案は、本体と、モータと、電源供給装置と、制御スイッチと、第一研磨装置と、第二研磨装置と、第一伝動軸と、第二伝動軸と、を含む電動式調味料研磨器において、前記本体は、両端がそれぞれ第一端および第二端とされ、前記第一端の近傍に第一収容空間が設けてあり、前記第二端の近傍に第二収容空間が設けてあり、前記モータは、前記本体の第一端と第二端の間に設けられ、前記本体の第一端に伸びる第一出力軸を有し、前記本体の第二端に伸びる第二出力軸を有し、前記第一出力軸と前記第二出力軸とは前記本体に対して第一の方向へ一緒に伝動可能であり、前記第一出力軸と前記第二出力軸とは前記本体に対して第二の方向へ一緒に伝動可能であり、前記電源供給装置は、モータの電力を供給するものであり、前記制御スイッチは、第一収容空間を第二収容空間よりも低くすると、モータが自動的に起動されて前記第一出力軸と前記第二出力軸とを第一の方向に回転し、第二収容空間を第一収容空間よりも低くすると、モータが自動的に起動されて前記第一出力軸と前記第二出力軸とを第二の方向に回転し、第一研磨装置と第二研磨装置とは、それぞれ第一収容空間と第二収容空間とに隣接し、これらの研磨装置は、固定された外研磨台と、回転可能の内研磨台と、を含み、前記第一伝動軸は、第一出力軸および第一研磨装置における内研磨台と結合し、前記第二伝動軸は、第二出力軸および第二研磨装置における内研磨台と結合することを特徴とする電動式調味料研磨器であることを要旨としている。
【０００７】
本願の第２考案では、前記制御スイッチは、傾斜接触装置であってもよく、ハイセクションとローセクションとを有する通路を含み、前記通路は、中央にあるローセクションと、両側の第一ハイセクション及び第二ハイセクションとから構成され、且つ前記通路内には移動可能の転がり体が少なくとも一つ設けてあり、前記第一ハイセクションには常時に接触しない第一接触点および第二接触点が設けてあり、前記第二ハイセクションには常時に接触しない第三接触点および第四接触点が設けてあり、前記本体が傾斜されて第一収容空間が第二収容空間よりも低い場合には、前記転がり体が移動されて第一接触点と第二接触点とを接触状態にし、前記本体が傾斜されて第二収容空間が第一収容空間よりも低い場合には、前記転がり体が移動されて第三接触点と第四接触点とを接触状態にし、第一接触点と第二接触点とが接触状態になるときに、第一回路が閉回路になって、モータが第一出力軸と第二出力軸とを第一の方向に回転させ、第三接触点と第四接触点とが接触状態になるときに、第二回路が閉回路になって、モータが第一出力軸と第二出力軸とを第二の方向に回転させることを特徴とする前記第１考案の電動式調味料研磨器であることを要旨としている。
【０００８】
本願の第３考案では、前記第一出力軸及び第一伝動軸と結合する第一ラチェットが設けてあり、前記第一出力軸が第一の方向に回転されているときに、前記第一ラチェットが第一伝動軸を回転し、前記第一出力軸が第二の方向に回転されているときに、前記第一ラチェットが第一伝動軸を回転しなく、そして前記第二出力軸及び第二伝動軸と結合する第二ラチェットが設けてあり、前記第二出力軸が第二の方向に回転されているときに、前記第二ラチェットが第二伝動軸を回転し、前記第二出力軸が第一の方向に回転されているときに、前記第二ラチェットが第二伝動軸を回転しないことを特徴とする前記第２考案の電動式調味料研磨器であることを要旨としている。
【０００９】
本願の第４考案では、前記第一ラチェット、前記第一出力軸と前記第一伝動軸のうちの少なくとも一つと結合し前記第一伝動軸の前記第一出力軸に対する回転速度を降下する第一減速ギアユニットが設けてあり、そして前記第二ラチェット、前記第二出力軸と前記第二伝動軸のうちの少なくとも一つと結合し前記第二伝動軸の前記第二出力軸に対する回転速度を降下する第二減速ギアユニットが設けてあることを特徴とする前記第３考案の電動式調味料研磨器であることを要旨としている。
【００１０】
本願の第５考案では、前記第一収容空間は、開口と、前記開口の近傍に位置する第一研磨装置と、を含み、前記第二収容空間は、開口と、前記開口の近傍に位置する第二研磨装置と、を含むことを特徴とする前記第１考案の電動式調味料研磨器であることを要旨としている。
【００１１】
本願の第６考案では、前記研磨装置の回転可能の内研磨台は、外側に伸び研磨歯を有するな内部部品を含み、前記研磨装置の固定された外研磨台は、内側に伸び研磨歯を有する外部部品を含み、前記外部部品が前記内部部品を囲んでおり、且つ前記外部部品に設けられた研磨歯の形状は前記内部部品に設けられた研磨歯と互いに補うことを特徴とする前記第５考案の電動式調味料研磨器であることを要旨としている。
【００１２】
本願の第７考案では、前記制御スイッチ内に締付リングが設けてあり、前記締付リングに突起が設けてあり、前記突起を前記制御スイッチと前記電源ユニットとに押付けると回路が閉回路になり、このとき、第一研磨装置または第二研磨装置は研磨可能になり、前記制御スイッチと前記電源ユニットとから前記突起を離脱すると回路が開回路になり、このとき、第一研磨装置と第二研磨装置とは研磨不能になることを特徴とする前記第１考案の電動式調味料研磨器であることを要旨としている。
【００１３】
本願の第７考案では、移動可能の前記転がり体は玉であることを特徴とする前記第１考案の電動式調味料研磨器であることを要旨としている。
【考案の効果】
【００１４】
本考案の電動式調味料研磨器によれば、次のような効果がある。
（１）本考案は二つの収容空間を有するので、二種類の調味料を同時に充填可能である。
したがって、使用したい調味料の充填された収容空間を選択して研磨すると、使用したい調味料を食べ物に添加することができて、調味料の選択性が多くなる。
また、制御スイッチによりモータの回転方向を制御可能であり、ラチェットにより各伝動軸が外研磨歯に対して研磨可能方向だけに回転可能である。そのため、伝動軸と結合する内研磨歯も外研磨歯に対して研磨可能方向だけに回転可能である。このように、内研磨歯と外研磨歯との相対運動により調味料を研磨可能である。
【００１５】
（２）本考案は、締付リングの突起により電源の供給を制御可能である。そのため、輸送の途中で転がり体が意外に移動しても、研磨器は起動しない。
【考案を実施するための最良の形態】
【００１６】
以下、添付図面を参照して本考案の好適な実施の形態を詳細に説明する。
【００１７】
まず、図１乃至図４を参照する。本考案の電動式調味料研磨器は、本体１と、モータ２と、電源供給装置３と、制御スイッチ４と、二つの伝動軸５と、二つの研磨装置６と、を含む。
【００１８】
前記本体１は、両端をそれぞれ第一端と第二端とする。前記第一端の近傍に第一収容空間１１が設けてあり、前記第二端の近傍に第二収容空間１１が設けてあり、前記第一収容空間１１と第二収容空間１１の間に連接部１２が設けてある。
前記モータ２は、前記本体１の連接部１２に取付けられ、その両端に第一出力軸２１と第二出力軸２１´がそれぞれ設けてあり、前記モータ２が起動されると、第一出力軸２１と第二出力軸２１´が同じ方向に回転する。
第一出力軸２１と第二出力軸２１´の回転方向は正転も逆転も可能である。
また、第一出力軸２１と第二出力軸２１´とには減速ギアユニット２２が連接してあり、前記減速ギアユニット２２の出力端がラチェット２３と連接する。
【００１９】
前記電源ユニット３は、本体１の連接部１２の内部に設けられ、モータ２の電力を供給するものである。
前記制御スイッチ４は、本体１の連接部１２の内部に設けられ、前記電源ユニット３のモータ２への電力供給を制御すると共に、第一出力軸２１と第二出力軸２１´との回転方向（正転または逆転）をも制御可能である。
前記制御スイッチ４は、傾斜接触装置４´であってもよく、ハイセクションとローセクションとを有する通路４１を含む。
前記通路４１は、中央にあるローセクション４１１と、両側の第一ハイセクション４１２及び第二ハイセクション４１３とから構成される（ハイセクションとローセクションとを有する円弧形通路でもいいし、湾折段と平坦セクションとから構成される〔字形通路でもよく〕。
前記通路４１内には移動可能の転がり体４２が少なくとも一つ設けてある。
本実施例では、転がり体４２が五つある。もちろん、本考案はこれらに限定されない。
そして転がり体４２は移動可能なものであればよい。もちろん、本考案は玉形状に限定されない。
また、前記第一ハイセクション４１２には常時に接触しない第一接触点４１２１および第二接触点４１２２が設けてある。
前記第二ハイセクション４１３には常時に接触しない第三接触点４１３１および第四接触点４１３２が設けてある。
【００２０】
図１、図２、図５及び図６に示すように、傾斜接触装置４´が水平状態になる（すなわち、第一収容空間１１と第二収容空間１１とが水平状態になる）ときに、重力により転がり体４２がローセクション４１１に移動される。
このとき、第一接触点４１２１と第二接触点４１２２は互いに接触しなくなり、第三接触点と第四接触点も互いに接触しなくなる。
そのため、モータ２は起動されない状態に維持され、研磨装置６も回転しない。
【００２１】
また、図１、図２、図７乃至図９に示すように、傾斜接触装置４´が直立状態になる（すなわち、第一収容空間１１と第二収容空間１１との高さが相違になり、まず、第一収容空間が第二収容空間よりも低いことを例にする）ときには、重力により転がり体４２が第一ハイセクション４１２に移動される。
このとき、図８に示すように、第一接触点４１２１が圧迫されて第二接触点４１２２と接触する。
そのため、モータ２が起動されて第一の方向（正転）に回転するようになる。
【００２２】
また、第一研磨装置６が第一収容空間１１に収容され、第二研磨装置６が第二収容空間１１に収容される。
これらの研磨装置６は、固定された外研磨台６２と、回転可能の内研磨台６１と、を含む。
外研磨台６２が内研磨台６１を囲む。また、前記研磨装置６の回転可能の内研磨台６１は、外側に伸び研磨歯を有するな内部部品を含む。
前記研磨装置６の固定された外研磨台６２は、内側に伸び研磨歯を有する外部部品を含む。前記外部部品が前記内部部品を囲んでおり、且つ前記外部部品に設けられた研磨歯の形状は前記内部部品に設けられた研磨歯と互いに補う。
またこれらの研磨装置６が収容空間１１の出口に近接しており、伝動軸５は、収容空間内に位置し、その一端がラチェット２３と連接し、他端が研磨装置６の内研磨台６１と連接する。
【００２３】
また、モータ２が起動されて第一の方向（正転）に回転するときに、第一出力軸２１と連接したラチェット２３が回転する。
そしてラチェット２３に対応する伝動軸５も回転する。
このように、第一収容空間１１において第一研磨装置６の内研磨台６１が回転するようになり、これにより、調味料を細かく研磨することが可能である。
【００２４】
一方、ラチェット２３と連接した第二出力軸２１´（このとき、ハイポジションにある）は回転するが、伝動軸５は第二出力軸２１´に連動されない。
そのため、第二研磨装置６（このとき、ハイポジションにある）は作動しない。
【００２５】
逆に、傾斜接触装置４´が直立状態になる（すなわち、第一収容空間１１と第二収容空間１１との高さが相違になり、まず、第一収容空間が第二収容空間よりも高いことを例にする）ときには、重力により転がり体４２が第二ハイセクション４１３に移動される。
このとき、第三接触点４１３１が圧迫されて第四接触点４１３２と接触する。
したがって、モータ５が起動されて第二の方向（逆転）に回転する。
モータ２が起動されて第二の方向（逆転）に回転するときに、第二出力軸２１´と連接したラチェット２３が回転する。
そしてラチェット２３に対応する伝動軸５も回転する。
このように、第二収容空間１１において第二研磨装置６の内研磨台６１が回転する。
これにより、調味料を細かく研磨するひことが可能である。
同じように、ラチェット２３と連接した第一出力軸２１（このとき、ハイポジションにある）は、回転するが、伝動軸５は第一出力軸２１に連動されない。そのため、第一研磨装置６（このとき、ハイポジションにある）は作動しない。
【００２６】
また、第二出力軸２１´と第二研磨装置６とが第一出力軸２１よりも低い場合には、重力により傾斜接触装置４´内の転がり体４２が通路４２においてローセクション４１１から第二ハイセクション４１３へ移動して、第三接触点４１３１が転がり体４２に圧迫されて第四接触点４１３２と接触するようになる。
そうすると、モータ２は第二の方向（逆転）に回転する。ラチェット２３と連接した第二出力軸２１´が回転し、ひいては伝動軸５も一緒に回転するようになる。
このように、第二研磨装置６（このとき、ローポジションにある）の内研磨台６１が回転し、外研磨台６２と一緒に調味料を研磨することが可能である。
一方、ラチェット２３と連接した第一出力軸２１（このとき、ハイポジションにある）は回転するが、伝動軸５は一緒に回転しない。これにより、第一研磨装置６（このとき、ハイポジションにある）の内研磨台６１が回転しなくなる。
また、傾斜接触装置４´を水平状態にする（すなわち、第一収容空間１１と第二収容空間１１との高さが同様になる）ときには、転がり体４２がローセクション４１１に移動されて、接触点が接触しない状態になってモータ５が停止する。
すなわち、第一研磨装置６と第二研磨装置６との高さが同様になるときには、モータ５が停止する。
【００２７】
また、図１０及び図１１を参照する。本考案の傾斜接触装置４´の別の実施例は、ハイセクションとローセクションとを有する通路４１を含む。
前記通路４１は、中央にあるローセクション４１１と、両側の第一ハイセクション４１２及び第二ハイセクション４１３とから構成される（ハイセクションとローセクションとを有する円弧形通路でもいいし、湾折段と平坦セクションとから構成される〔字形通路でもよく〕。
前記通路４１内には移動可能の玉が少なくとも一つ設けてある。本実施例では、玉が五つある。もちろん、本考案はこれに限定されない。
そして玉は移動可能な導電体４４であればよい。
また、前記通路４１内の最も前の導電体４４と最も後ろの導電体４４とには弾性具４５が嵌めて設けてある。
また、前記第一ハイセクション４１２には互いに平行している第一接触点４１２１および第二接触点４１２２が設けてある。
前記第二ハイセクション４１３には互いに平行している第三接触点４１３１および第四接触点４１３２が設けてある。
傾斜接触装置４´を水平状態にするときには、導電体４４がローセクション４１１に移動され、これらの接触点が接触しない状態になり、モータ５が停止する。
また、傾斜接触装置４´を鉛直状態にする（すなわち、第一収容空間１１と第二収容空間１１との高さが相違になり、本実施例では、第一収容空間１１が第二収容空間１１よりも低いことを例にし）ときには、導電体４４が下にある第一ローセクション４１２に移動される。
これにより、最も前の導電体４４に設けられた弾性体４５により第一接触点４１２１と第二接触点４１２２とが電気的に連通する状態になる。
逆に、第一収容空間１１が第二収容空間１１よりも高い場合には、導電体４４が下にある第二ローセクション４１３に移動される。
これにより、最も後ろの導電体４４に設けられた弾性体４５により第三接触点４１３１と第四接触点４１３２とが電気的に連通する状態になる。
【００２８】
また、弾性体４５を使用せずに導電体４４だけにより、第一接触点４１２１と第二接触点４１２２、及び第三接触点４１３１と第四接触点４１３２をそれぞれ電気的に連通することも可能である。
【００２９】
また、図１２及び図１３を参照する。本考案の制御スイッチ４内に締付リング４３が設けてある。前記締付リング４３に突起４３１が設けてある。第一研磨装置６又は第二研磨装置６が正常に研磨しているときには、前記突起４３１が前記制御スイッチ４と前記電源ユニット３との電気連通端４６，３１に押付けて当該回路が閉回路にある。
また、本考案を輸送中に、又は転がり体４２の勝手な移動を防止しようとする場合には、前記締付リング４３を旋回すると突起４３１が前記制御スイッチ４と前記電源ユニット３との電気連通端４６，３１から離脱して、当該回路が開回路になる。このとき、第一研磨装置６と第二研磨装置６とは研磨不能になる。
【００３０】
このように、本考案は、特定の例を参照して説明したが、これらの例は、考案を説明するためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００３１】
【図１】本考案の分解斜視図である。
【図２】本考案の組合状態の一部を剖開した状態の斜視図である。
【図３】本考案の組合状態の断面図１である。
【図４】本考案の組合状態の断面図２である。
【図５】本考案の制御スイッチユニットの動作を示す概略図１である。
【図６】本考案の制御スイッチユニットの動作を示す簡略図１である。
【図７】本考案の制御スイッチユニットの動作を示す概略図２である。
【図８】本考案の制御スイッチユニットの動作を示す簡略図２である。
【図９】本考案の回路の概略図である。
【図１０】本考案の別の実施例の動作を示す概略図１である。
【図１１】本考案の別の実施例の動作を示す概略図２である。
【図１２】本考案の締付リングの動作を示す概略図１である。
【図１３】本考案の締付リングの動作を示す概略図２である。
【符号の説明】
【００３２】
１        本体
２        モータ
３        電源ユニット
４        制御スイッチ
４´      傾斜接触装置
５        伝動軸
６        研磨装置
１１      収容空間
１２      連接部
２１      第一出力軸
２１´    第二出力軸
２２      減速ギアユニット
２３      ラチェット
３１      電気連通端
４１      通路
４２      転がり体
４３      締付リング
４４      導電体
４５      弾性具
４６      電気連通端
６１      内研磨台
６２      外研磨台
４１１    ローセクション
４１２    第一ハイセクション
４１３    第二ハイセクション
４３１    突起
４１２１  第一接触点
４１２２  第二接触点
４１３１  第三接触点
４１３２  第四接触点
【図１】
0003138902.tif 000003
【図２】
0003138902.tif 000004
【図３】
0003138902.tif 000005
【図４】
0003138902.tif 000006
【図５】
0003138902.tif 000007
【図６】
0003138902.tif 000008
【図７】
0003138902.tif 000009
【図８】
0003138902.tif 000010
【図９】
0003138902.tif 000011
【図１０】
0003138902.tif 000012
【図１１】
0003138902.tif 000013
【図１２】
0003138902.tif 000014
【図１３】
0003138902.tif 000015